(57)【要約】【課題】天板に配置された３つの加熱口の加熱源として加熱コイルを用いた加熱調理器を小型化し、低コスト化を図ることのできる加熱調理器を提供する。【解決手段】調理容器が載置される天板の下面に配置された複数の加熱コイル５ａ、６ａ、７ａと、直流電圧を交流電圧に変換し、複数の加熱コイルにそれぞれ高周波電流を供給する複数のインバーター２２、３２、３５と、複数の加熱コイル５ａ、６ａ、７ａのうち少なくとも２つの加熱コイル６ａ、７ａに設定された電力の合計が予め設定された第１の最大使用電力を超えるときに、その第１の最大使用電力以下となるように前記２つの加熱コイル６ａ、７ａあるいは何れか一方の加熱コイルの電力を下げる主制御部５０とを有し、２つの加熱コイル６ａ、７ａに高周波電流を供給するインバーター３２、３５を少なくとも同一回路基板３０に実装した。【選択図】図２
2010205590.tif 000002
【特許請求の範囲】
【請求項１】
調理容器が載置される天板の下面に配置された複数の加熱コイルと、
直流電圧を交流電圧に変換し、前記複数の加熱コイルにそれぞれ高周波電流を供給する複数のインバーターと、
前記複数の加熱コイルのうち少なくとも２つの加熱コイルに設定された電力の合計が予め設定された第１の最大使用電力を超えるときに、該第１の最大使用電力以下となるように前記２つの加熱コイルあるいは何れか一方の加熱コイルの電力を下げる電力制限部とを有し、
前記２つの加熱コイルに高周波電流を供給するインバーターを少なくとも同一回路基板に実装したことを特徴とする加熱調理器。
【請求項２】
調理モードに応じて加熱コイルの使用優先順位が設定され、
前記電力制限部は、前記２つの加熱コイルに設定された電力の合計が前記第１の最大使用電力を超えるときに、該第１の最大使用電力以下となるように使用優先順位の低い加熱コイルの電力を下げることを特徴とする請求項１記載の加熱調理器。
【請求項３】
ヒーターにて加熱調理するグリルを備え、
前記電力制限部は、前記ヒーターを含む前記複数の加熱コイルの第２の最大使用電力（第２の最大使用電力＞第１の最大使用電力）が設定され、前記２つの加熱コイルに設定された電力の合計が前記第１の最大使用電力を超えるときに、該第１の最大使用電力以下となるように使用優先順位の低い加熱コイルの電力を下げ、さらに、その合計と前記ヒーター及び他の加熱コイルの各電力との合計が前記第２の最大使用電力を超えるときに、該第２の最大使用電力以下となるように使用優先順位の低い加熱コイルの電力を下げることを特徴とする請求項２記載の加熱調理器。
【発明の詳細な説明】
【技術分野】
【０００１】
本発明は、例えば天板に３つの加熱口を有する加熱調理器に係わり、さらに詳しくは、３つの加熱口のうち２つの加熱口の使用電力に制限を加えた加熱調理器に関するものである。
【背景技術】
【０００２】
家電機器の電力システムにおいて、家電機器の使用電力量が契約電力量を超えた場合、使用中の家電機器の中から予め設定された使用優先順位に従って家電機器の電力遮断あるいはその家電機器の電力を下げて使用電力量が契約電力量を超えないようにしている（例えば、特許文献１参照）。
【先行技術文献】
【特許文献】
【０００３】
【特許文献１】特開平９−２５２５３３号公報（第４−５頁、図２及び図３）
【発明の概要】
【発明が解決しようとする課題】
【０００４】
ところで、加熱調理器にも最大使用電力が設定されている。例えば、天板に３つの加熱口を有する加熱調理器においては、３つの加熱口の加熱源として加熱コイルが使用されている。また、このタイプの加熱調理器には、シーズヒーターを加熱源とするグリルが設けられている。これら４つの加熱源の合計の最大使用電力は例えば５．８ＫＷに設定されている。この加熱調理器の使用電力が５．８ＫＷを超えるような場合、使用優先順位の低い加熱源から電力を下げて５．８ＫＷ以下となるように電力制限を行っている。
【０００５】
しかしながら、前述した従来の加熱調理器には、加熱コイルに高周波電流を供給するインバーター、インバーター駆動回路、この駆動回路を制御する制御部などが実装された回路基板が３つの加熱コイルに対応して配設されているため、加熱調理器の筐体の容積が増大し、コストの増大を招くという課題があった。
【０００６】
本発明は、前記のような課題を解決するためになされたもので、天板に配置された３つの加熱口の加熱源として加熱コイルを用いた加熱調理器を小型化し、低コスト化を図ることのできる加熱調理器を提供することを目的とする。
【課題を解決するための手段】
【０００７】
本発明に係る加熱調理器は、調理容器が載置される天板の下面に配置された複数の加熱コイルと、直流電圧を交流電圧に変換し、複数の加熱コイルにそれぞれ高周波電流を供給する複数のインバーターと、複数の加熱コイルのうち少なくとも２つの加熱コイルに設定された電力の合計が予め設定された第１の最大使用電力を超えるときに、その第１の最大使用電力以下となるように前記２つの加熱コイルあるいは何れか一方の加熱コイルの電力を下げる電力制限部とを有し、前記２つの加熱コイルに高周波電流を供給するインバーターを少なくとも同一回路基板に実装したことを特徴とする。
【発明の効果】
【０００８】
本発明においては、同一回路基板上のインバーターに接続された２つの加熱コイルに設定された電力の合計が予め設定された第１の最大使用電力を超えるときに、その第１の最大使用電力以下となるように前記２つの加熱コイルあるいは何れか一方の加熱コイルの電力を下げるようにしたので、同一回路基板上の各インバーターの駆動による素子発熱温度が異常になるということがなくなり、発熱素子の破損を防止できる。このため、２つの加熱コイルに高周波電流を供給するインバーターを同一回路基板上に実装することが可能となり、従来と比べ回路基板を削減することが可能になり、本調理器の組み立て工程を軽減でき、低コスト化を図ることが可能になる。また、回路基板を削減できるので、本調理器の小型化が可能になるという効果がある。
【図面の簡単な説明】
【０００９】
【図１】本発明の実施の形態を示す加熱調理器の外観斜視図である。
【図２】実施の形態に係る加熱調理器の制御ブロック図である。
【図３】実施の形態の加熱調理器における主制御部の加熱源に対する電力制限の動作を示すフローチャートである。
【図４】図３に続くフローチャートである。
【発明を実施するための形態】
【００１０】
図１は本発明の実施の形態を示す加熱調理器の外観斜視図、図２は実施の形態に係る加熱調理器の制御ブロック図である。
図１、２において、本調理器１の筐体２の上部には、枠体４によって周縁部が固定された耐熱強化ガラス製の天板３が載置されている。この天板３には、鍋やフライパンなどの調理容器の載置位置を示す例えば左加熱口５、右加熱口６及び中央加熱口７が配置されている。筐体２内には、図２に示す左加熱コイル５ａ（以下、「左ヒーター５ａ」という）が左加熱口５の裏面に対向して収容され、右加熱コイル６ａ（以下、「右ヒーター６ａ」という）が右加熱口６の裏面に対向して収容され、また、中央加熱コイル７ａ（以下、「中央ヒーター７ａ」という）が中央加熱口７の裏面に対向して収容されている。さらに、筐体２には、前面に扉が開閉自在に設けられたグリル８が収容されている。このグリル８には、上ヒーターと下ヒーターとからなるグリルヒーター８ａが配設されている。
【００１１】
天板３の手前左側には、左ヒーター５ａの火力（電力）を表示する左火力表示部１０ａ、及び左ヒーター５ａの動作状態を表示する左液晶表示部１１ａが配置されている。天板３の手前右側には、右ヒーター６ａの火力を表示する右火力表示部１０ｂ、及び右ヒーター６ａの動作状態を表示する右液晶表示部１１ｂが配置されている。また、天板３の奧の中央部には、中央ヒーター７ａの火力を表示する中央火力表示部１０ｃが設けられ、さらに、天板３の手前中央部には、中央ヒーター７ａやグリルヒーター８ａの動作状態を表示する中央液晶表示部１１ｃが配置されている。
【００１２】
天板３の手前側の枠体４には上面操作部９が設けられ、筐体２の前面にはグリル８の扉に隣接して前面操作部１２が設けられている。上面操作部９には、左及び右ヒーター５ａ、６ａの電力、揚げ物モードや３ｋｗモードなどを設定するための複数のキースイッチや、グリルモードなどを設定するためのグリル８用のキースイッチが配置されている。前面操作部１２には、左及び右ヒーター５ａ、６ａと中央ヒーター７ａの各電力をそれぞれ調節するための火力調節ダイヤルが設けられている。それぞれの火力調節ダイヤルは、押されると手前側に突出してオン状態となり、押し込まれたときにオフ状態となる。
【００１３】
前述の左ヒーター５ａは、図２に示すように、回路基板２０に実装されたインバーター２２と接続されている。この回路基板２０には、インバーター２２の他に、コンバーター２１、インバーター駆動部２３、例えばマイコンからなる第１制御部２４などが実装されている。コンバーター２１は、交流電圧を直流電圧に変換しインバーター２２に供給する。インバーター２２は、コンバーター２１からの直流電圧を交流に変換し高周波電流を右ヒーター５ａに供給する例えばハーフブリッジ型インバーターで構成されている。インバーター駆動部２３は、第１制御部２４からの制御に基づいてインバーター２２のスイッチング素子（例えばＩＧＢＴ）を駆動する駆動信号を生成する。第１制御部２４は、後述する主制御部５０の指示による設定電力を検知すると、左ヒーター５ａに設定電力が出力されるようにインバーター駆動部２３を制御する。また、調理温度が設定されている場合には加熱中の温度情報を主制御部５０に通知し、不適切な調理容器や異常温度を検知したときはエラー情報を主制御部５０に通知する。
【００１４】
右ヒーター６ａは、回路基板３０に実装されたインバーター３２と接続され、中央ヒータ７ａは、同一の回路基板３０に実装されたインバーター３５と接続されている。この回路基板３０には、前述のインバーター３２、３５の他に、インバーター３２の入力側に配置されたコンバーター３１、インバーター３２を駆動するインバーター駆動部３３、インバーター３５の入力側に配置されたコンバーター３４、インバーター３５を駆動するインバーター駆動部３６、インバーター駆動部３３、３６をそれぞれ制御する第２制御部３７などが実装されている。これら各回路部は例えばインテリジェントパワーモジュールで構成されている。前述の第２制御部３７は、主制御部５０の指示による右ヒーター６ａの設定電力を検知すると、右ヒーター６ａに設定電力が出力されるようにインバーター駆動部３３を制御し、中央ヒーター７ａの設定電力を検知したときは、中央ヒーター７ａに設定電力が出力されるようにインバーター駆動部３６を制御する。また、前述したように、調理温度が設定されている場合には加熱中の温度情報を主制御部５０に通知し、不適切な調理容器や異常温度を検知したときはエラー情報を主制御部５０に通知する。
【００１５】
グリルヒーター８ａは、回路基板４０に実装されたヒーター通電回路４１と接続されている。この回路基板４０には、前述のヒーター通電回路４１の他に、第３制御部４２などが実装されている。第３制御部４２は、主制御部５０の指示による設定電力を検知すると、グリルヒーター８ａに設定電力が出力されるようにヒーター通電回路４１を制御する。また、加熱中にグリル８の庫内温度が異常温度になるとその情報を主制御部５０に通知する。
【００１６】
前述した回路基板２０、３０、４０は、本調理器１の筐体２内において各ヒーター５ａ、６ａ、７ａ及びグリル８から離れた位置に設置されており、本調理器１使用中は、冷却ファン（図示せず）によって冷却されている。
【００１７】
主制御部５０は、前面操作部１２のオン操作（火力調節ダイヤル）により通電制御対象の加熱源（左ヒーター５ａ、右ヒーター６ａ及び中央ヒーター７ａ）を検知し、次いで、前面操作部１２あるいは上面操作部９の操作により通電制御対象の加熱源の設定電力を検知する。そして、通電制御対象の加熱源から制御部（第１、第２及び第３制御部）を判別して設定電力を通知し動作させる。また、通電制御対象の加熱源の電力が設定されたときは、火力表示部（左火力表示部１０ａ、右火力表示部１０ｂ及び中央火力表示部１０ｃ）に表示し、動作状態（通常加熱モード、揚げ物モード、湯沸かしモードなど）を液晶表示部（左液晶表示部１１ａ、右液晶表示部１１ｂ及び中央液晶表示部１１ｃ）に表示する。
【００１８】
この主制御部５０は、加熱源の組み合わせに応じて設定された最大使用電力をデータとして有している。具体的には、右ヒーター６ａと中央ヒーター７ａに対する最大使用電力（第１の最大使用電力）は例えば４ｋｗである。右ヒーター６ａと中央ヒーター７ａの電力の合計が４ｋｗを超える場合、１つの回路基板３０に２つのインバーター３２、３５が実装されており、１つの風路（図示せず）で構成されているため高温となり、インバーター３２、３５の各スイッチング素子が破損する恐れがある。これを防止するために最大使用電力（４ｋｗ）が設定されている。左ヒーター５ａ、右ヒーター６ａ及び中央ヒーター７ａの３つの加熱源に対する最大使用電力は例えば５．５ｋｗであり、その３つの加熱源とグリルヒーター８ａに対する最大使用電力（第２の最大使用電力）は例えば５．８ｋｗと設定されている。この５．８ｋｗは消防法で規定された本調理器１の最大使用電力である。
【００１９】
また、主制御部５０には、予め設定された各種の調理モードに応じて加熱源の使用優先順位が設定されている。例えば、調理モードには、通常加熱モード、３ｋｗモード、揚げ物モード、グリルモードなどがある。この中で通常加熱モードは使用優先順位が最も低く、グリルモードと揚げ物モードは使用優先順位が最も高く設定されている。３ｋｗモードは、使用優先順位がグリルモードより低く通常加熱モードよりも高く設定されている。通常加熱モードとは、上面操作部９に設けられたキースイッチにより「強・中・弱」の火力（電力）が選択されたときや、前面操作部１２に設けられた火力調節ダイヤルにより火力（電力）が設定されたときである。この通常加熱モードにおいて、左ヒータ５ａの電力が設定され、その後に中央ヒータ７ａの電力が設定されて加熱動作しているときに、右ヒータ６ａの電力が設定された場合、使用優先順位の最も低いのは右ヒータ６ａで、その次に使用優先順位の低いのは中央ヒータ７ａとなる。また、前述した調理モードの他に、保温モード、煮込みモードなどがある。
【００２０】
ここで、加熱源に対する電力制限を行う主制御部５０の動作を図３及び図４に基づいて説明する。図３及び図４は実施の形態の加熱調理器における主制御部の加熱源に対する電力制限の動作を示すフローチャートである。
主制御部５０は、先ず、加熱源の選択を検知したかどうかを判定する（Ｓ１）。これは、上面操作部９に設けられたグリル８のスタートスイッチ、あるいは前面操作部１２に設けられた火力調節ダイヤルのオン操作を検知したときに加熱源が選択されたと判定している。加熱源の選択を検知したときは、選択された加熱源が１つかどうかを判定する（Ｓ２）。１つの場合は、Ｓ１に戻って前述した動作を繰り返す。これは、例えば、右ヒーター６ａに対し３ｋｗモードが設定された場合、最大使用電力の４ｋｗ以下であり、また、左ヒーター５ａに対し同じ３ｋｗモードが設定された場合、最大使用電力の５．５ｋｗ以下であり、さらに、グリルモード（例えば２．５ｋｗ）が設定された場合は、本調理器の最大使用電力である５．８ｋｗ以下であり、電力制限を行う必要がないからである。
【００２１】
主制御部５０は、Ｓ１において加熱源の選択を検知したときにその前に使用されている加熱源がある場合、選択された加熱源は１つでないので、使用中の加熱源と今回選択された加熱源が右ヒーター６ａと中央ヒーター７ａかどうかを判定する（Ｓ３）。加熱源が右ヒーター６ａと中央ヒーター７ａと判定したときは、右ヒーター６ａと中央ヒーター７ａに設定された電力の合計Ｐを算出し（Ｓ４）、４ｋｗを超えるかどうかを判定する（Ｓ５）。その電力Ｐが４ｋｗ以下のときはＳ１に戻って新たな加熱源が選択されたかどうかを判定する。
【００２２】
また、電力Ｐが４ｋｗを超える場合は、使用優先順位の低い加熱源の電力を下げて合計電力Ｐを４ｋｗ以下にする（Ｓ６）。例えば、右ヒーター６ａに対し３ｋｗモードが設定され、中央ヒーター７ａに対し通常加熱モードで１．５ｋｗが設定されていた場合、使用優先順位の低い中央ヒーター７ａの電力を少なくとも０．５ｋｗ下げる。これにより、同一回路基板３０に実装された右ヒーター６ａと中央ヒーター７ａの各インバーター３２、３５の駆動による回路基板３０の高温化を抑えることが可能になり、各インバーター３２、３５のスイッチング素子の破損を防止できる。
【００２３】
主制御部５０は、Ｓ３において加熱源が右ヒーター６ａと中央ヒーター７ａでないと判定したときはグリル８の加熱源（グリルヒーター８ａ）が選択されたかどうかを判定する（Ｓ７）。グリルヒーター８ａが選択されていた場合、Ｓ２１に移行するが、グリルヒーター８ａが選択されていないときは、右ヒーター６ａと中央ヒーター７ａが選択されているかどうかを判定する（Ｓ８）。例えば、最初に左ヒーター５ａが選択され、その後に右ヒーター６ａあるいは中央ヒーター７ａが選択された場合、右ヒーター６ａと中央ヒーター７ａが選択されていないと判定してＳ１８に移行する。
【００２４】
また、例えば最初に右ヒーター６ａが選択され、その後に左ヒーター５ａが選択され、続いて中央ヒーター７ａが選択された場合は、右ヒーター６ａと中央ヒーター７ａが選択されていると判定して、先ず、右ヒーター６ａと中央ヒーター７ａに設定された電力の合計Ｐを算出する（Ｓ９）。そして、その合計電力Ｐが４ｋｗを超えているかどうかを判定し（Ｓ１０）、合計電力Ｐが４ｋｗ以下のときはＳ１５に移行するが、合計電力Ｐが４ｋｗを超えているときは、前述したように使用優先順位の低い中央ヒーター７ａの電力を下げて合計電力Ｐを４ｋｗ以下にする（Ｓ１１）。
【００２５】
さらに、例えば右ヒーター６ａと中央ヒーター７ａが選択された後に左ヒーター５ａが選択された場合は、前記と同様に、右ヒーター６ａと中央ヒーター７ａに設定された電力の合計Ｐを算出し（Ｓ９）、その合計電力Ｐが４ｋｗを超えているかどうかを判定する（Ｓ１０）。この場合は、左ヒーター５ａの前に右ヒーター６ａと中央ヒーター７ａが先に選択されているため、右ヒーター６ａと中央ヒーター７ａの合計電力Ｐの算出、その合計電力Ｐが４ｋｗを超えているかどうかの判定は２度目となる。これは、左ヒーター５ａの電力を設定した後に、既に加熱動作している右ヒーター６ａあるいは中央ヒーター７ａの電力が上げられている可能性があるからである。この場合も右ヒーター６ａと中央ヒーター７ａの合計電力Ｐが４ｋｗ以下のときＳ１５に移行するが、合計電力Ｐが４ｋｗを超えているときは、使用優先順位の低い中央ヒーター７ａの電力を下げて合計電力Ｐを４ｋｗ以下にする（Ｓ１１）。
【００２６】
主制御部５０は、電力低下（電力制限）による右ヒーター６ａと中央ヒーター７ａの合計電力Ｐ’と左ヒーター５ａの設定電力の合計Ｐ１を算出し（Ｓ１２）、その合計電力Ｐ１が５．５ｋｗを超えているかどうかを判定する（Ｓ１３）。合計電力Ｐ１が５．５ｋｗ以下のときはＳ１に戻るが、合計電力Ｐ１が５．５ｋｗを超えていると判定したときは、使用優先順位の低い加熱源の電力を下げて合計電力Ｐ１を５．５ｋｗ以下にし（Ｓ１４）、Ｓ１に戻る。例えば、右ヒーター６ａと中央ヒーター７ａが通常加熱モードで動作しているときに、左ヒーター５ａの電力設定によって合計電力Ｐ１が５．５ｋｗを超える場合、この３つの加熱源の中で使用優先順位が最も低いのは、後に設定された左ヒーター５ａとなるので、その電力を下げて合計電力Ｐ１を５．５ｋｗ以下にする。
【００２７】
また、主制御部５０は、Ｓ１０において右ヒーター６ａと中央ヒーター７ａの合計電力Ｐが４ｋｗ以下と判定したときは、その合計電力Ｐと左ヒーター５ａの電力の合計Ｐ２を算出し（Ｓ１５）、５．５ｋｗを超えているかどうかを判定する（Ｓ１６）。合計電力Ｐ２が５．５ｋｗを超えていないときはＳ１に戻るが、合計電力Ｐ２が５．５ｋｗを超えていると判定したときは、使用優先順位の低い加熱源の電力を下げて合計電力Ｐ２を５．５ｋｗ以下にし（Ｓ１７）、Ｓ１に戻る。この場合も、右ヒーター６ａと中央ヒーター７ａの後に電力設定された左ヒーター５ａの使用優先順位が最も低いので、その左ヒーター５ａの設定電力を下げて合計電力Ｐ２を５．５ｋｗ以下にする。
【００２８】
また、主制御部５０は、Ｓ８において右ヒーター６ａと中央ヒーター７ａが選択されていないと判定したとき、選択された加熱源の電力の合計Ｐ３を算出し（Ｓ１８）、その合計電力Ｐ３が５．５ｋｗを超えているかどうかを判定する（Ｓ１９）。合計電力Ｐ３が５．５ｋｗを超えていないときはＳ１に戻るが、合計電力Ｐ３が５．５ｋｗを超えていると判定したときは、使用優先順位の低い加熱源の電力を下げて合計電力Ｐ３を５．５ｋｗ以下にし（Ｓ２０）、Ｓ１に戻る。例えば、加熱源が左ヒーター５ａと右ヒーター６ａで、両方とも３ｋｗモードの場合、使用優先順位が共に同じであるが、後に選択された加熱源の電力を下げて合計電力Ｐ３を５．５ｋｗ以下にする。
【００２９】
さらに、主制御部５０は、Ｓ７においてグリル８の加熱源が選択されたと判定したときは、右ヒーター６ａと中央ヒーター７ａが選択されているかどうかを判定する（Ｓ２１）。例えば、最初に左ヒーター５ａが選択され、その後に右ヒーター６ａが選択され、そして、グリル８の加熱源であるグリルヒーター８ａが選択された場合、右ヒーター６ａと中央ヒーター７ａが選択されていないと判定してＳ３１に移行する。
【００３０】
また、例えば最初にグリルヒーター８ａが選択され、その後に右ヒーター６ａが選択され、続いて中央ヒーター７ａが選択された場合は、右ヒーター６ａと中央ヒーター７ａが選択されていると判定して、先ず、右ヒーター６ａと中央ヒーター７ａに設定された電力の合計Ｐを算出する（Ｓ２２）。そして、その合計電力Ｐが４ｋｗを超えているかどうかを判定し（Ｓ２３）、合計電力Ｐが４ｋｗ以下のときはＳ２８に移行するが、合計電力Ｐが４ｋｗを超えているときは、使用優先順位の低い中央ヒーター７ａの電力を下げて合計電力Ｐを４ｋｗ以下にする（Ｓ２４）。
【００３１】
さらに、例えば右ヒーター６ａと中央ヒーター７ａが選択された後にグリルヒーター８ａが選択された場合は、前記と同様に、右ヒーター６ａと中央ヒーター７ａに設定された電力の合計Ｐを算出し（Ｓ２２）、その合計電力Ｐが４ｋｗを超えているかどうかを判定する（Ｓ２３）。この場合も前述したように、グリルヒーター８ａの前に右ヒーター６ａと中央ヒーター７ａが先に選択されているため、右ヒーター６ａと中央ヒーター７ａの合計電力Ｐの算出、その合計電力Ｐが４ｋｗを超えているかどうかの判定は２度目となる。これは、前述したように、グリルモードが設定された後に、既に加熱動作している右ヒーター６ａあるいは中央ヒーター７ａの電力が上げられている可能性があるからである。この場合も右ヒーター６ａと中央ヒーター７ａの合計電力Ｐが４ｋｗ以下のときＳ２８に移行するが、合計電力Ｐが４ｋｗを超えているときは、右ヒーター６ａと中央ヒーター７ａのうち、後に設定された加熱源の電力を下げて合計電力Ｐを４ｋｗ以下にする（Ｓ２４）。
【００３２】
主制御部５０は、電力低下（電力制限）による右ヒーター６ａと中央ヒーター７ａの合計電力Ｐ’とグリルモードにおけるグリルヒーター８ａの設定電力の合計Ｐ４を算出し（Ｓ２５）、その合計電力Ｐ４が５．８ｋｗを超えているかどうかを判定する（Ｓ２６）。合計電力Ｐ４が５．８ｋｗ以下のときはＳ１に戻るが、合計電力Ｐ４が５．８ｋｗを超えていると判定したときは、使用優先順位の低い加熱源の電力を下げて合計電力Ｐ４を５．８ｋｗ以下にし（Ｓ２７）、Ｓ１に戻る。例えば、グリルヒーター８ａの設定電力を２．５ｋｗ、右ヒーター６ａと中央ヒーター７ａの合計電力Ｐ’を４ｋｗとしたとき、合計電力Ｐ４は６．５ｋｗになる。この場合、グリルヒーター８ａは使用優先順位が高いため、右ヒーター６ａと中央ヒーター７ａのうち、後に設定された例えば中央ヒーター７ａの電力を下げて合計電力Ｐ４を５．８ｋｗ以下にする。
【００３３】
ここで、左ヒーター５ａが３ｋｗモードとして追加された場合は、合計電力Ｐ４が最大で８．８ｋｗとなる。この場合は、グリルヒーター８ａと左ヒーター５ａの使用優先順位が高いので、前述の如く右ヒーター６ａと中央ヒーター７ａのうち、後に設定された加熱源の電力を下げていく。例えば中央ヒーター７ａの設定電力を０ｋｗまで下げても合計電力Ｐ４が５．８ｋｗを超えていた場合は、次に使用優先順位の低い右ヒーター６ａの設定電力を下げて合計電力Ｐ４を５．８ｋｗ以下にする。
【００３４】
また、主制御部５０は、Ｓ２３において右ヒーター６ａと中央ヒーター７ａの合計電力Ｐが４ｋｗ以下と判定したときは、その合計電力Ｐと他の加熱源（グリルヒーター８ａ）の電力の合計Ｐ５を算出し（Ｓ２８）、５．８ｋｗを超えているかどうかを判定する（Ｓ２９）。合計電力Ｐ５が５．８ｋｗを超えていないときはＳ１に戻るが、合計電力Ｐ５が５．８ｋｗを超えていると判定したときは、使用優先順位の低い加熱源の電力を下げて合計電力Ｐ５を５．８ｋｗ以下にし（Ｓ３０）、Ｓ１に戻る。この場合も使用優先順位の最も低い中央ヒーター７ａの設定電力をさらに下げて合計電力Ｐ５を５．８ｋｗ以下にする。また、前記と同様に、左ヒーター５ａが３ｋｗモードとして追加された場合は、合計電力Ｐ５が最大で８．８ｋｗとなる。この場合は、グリルヒーター８ａと左ヒーター５ａの使用優先順位が高いので、前述の如く使用優先順位の最も低い中央ヒーター７ａの設定電力を下げていく。中央ヒーター７ａの設定電力を０ｋｗまで下げても合計電力Ｐ５が５．８ｋｗを超えていた場合は、次に使用優先順位の低い右ヒーター６ａの設定電力を下げて合計電力Ｐ５を５．８ｋｗ以下にする。
【００３５】
また、主制御部５０は、Ｓ２１において右ヒーター６ａと中央ヒーター７ａが選択されていないと判定したとき、選択された加熱源の電力の合計Ｐ６を算出し（Ｓ３１）、その合計電力Ｐ６が５．８ｋｗを超えているかどうかを判定する（Ｓ３２）。合計電力Ｐ６が５．８ｋｗを超えていないときはＳ１に戻るが、合計電力Ｐ６が５．８ｋｗを超えていると判定したときは、使用優先順位の低い加熱源の電力を下げて合計電力Ｐ６を５．８ｋｗ以下にし（Ｓ３３）、Ｓ１に戻る。例えば、加熱源がグリルヒーター８ａと左及び右ヒーター５ａ、６ａで、左及び右ヒーター５ａ、６ａが２．５ｋｗの通常加熱モードの場合、グリルヒーター８ａより使用優先順位の低い左及び右ヒーター５ａ、６ａの何れかの設定電力を下げる。例えば右ヒーター６ａが左ヒーター５ａの後に選択された場合、後に選択された右ヒーター６ａの設定電力を下げて合計電力Ｐ６を５．８ｋｗ以下にする。
【００３６】
以上のように実施の形態によれば、右ヒーター６ａと中央ヒーター７ａの電力の合計Ｐが４ｋｗを超えているとき、使用優先順位の低い方の電力を下げて合計電力Ｐを４ｋｗ以下になるようにしたので、同一回路基板３０に実装された右ヒーター６ａと中央ヒーター７ａの各インバーター３２、３５の駆動による素子発熱温度が異常になるということがなくなり、各インバーター３２、３５のスイッチング素子の破損を防止できる。これに伴って従来と比べ回路基板を１つ減らすことができるので、本調理器１の組み立て工程を軽減でき、低コスト化を図ることが可能になり、本調理器１を小型化できる。
【００３７】
なお、本実施の形態では、天板上に３つの加熱口を備えた加熱調理器を用いて説明したが、４つの加熱口を備えた加熱調理器に適用しても良い。つまり、４つの加熱源（加熱コイル）のうち２つの加熱源の駆動回路（コンバーターやインバーター、インバーター駆動回路、制御部など）を１つの回路基板に実装して、その２つの加熱源の電力の合計Ｐが４ｋｗを超えているとき、使用優先順位の低い方の電力を下げて合計電力Ｐを４ｋｗ以下になるようにする。
【００３８】
このように構成された加熱調理器においても、前述の如く各インバーター３２、３５の駆動による素子発熱温度が異常になるということがなくなり、各インバーターのスイッチング素子の破損を防止できる。これにより、従来と比べ回路基板を１つ減らすことができるので、本調理器１の組み立て工程を軽減でき、低コスト化を図ることが可能になり、本調理器１を小型化できる。
【符号の説明】
【００３９】
１  加熱調理器、２  筐体、３  天板、４  枠体、５  左加熱口、６  右加熱口、７  中央加熱口、８  グリル、９  上面操作部、１０ａ  左火力表示部、１０ｂ  右火力表示部、１０ｃ  中央火力表示部、１１ａ  左液晶表示部、１１ｂ  右液晶表示部、１１ｃ  中央液晶表示部、１２  前面操作部、５ａ  左ヒータ、６ａ  右ヒーター、７ａ  中央ヒーター、８ａ  グリルヒーター、２０、３０、４０  回路基板、２１、３１、３４  コンバーター、２２、３２、３５  インバーター、２３、３３、３６  インバーター駆動回路、２４  第１制御部、３７  第２制御部、４１  ヒーター通電回路、４２  第３制御部、５０  主制御部。
【図１】
2010205590.tif 000003
【図２】
2010205590.tif 000004
【図３】
2010205590.tif 000005
【図４】
2010205590.tif 000006